(57)【特許請求の範囲】
【請求項１】
放射線量を検出するプラスチック・シンチレーション・ファイバ（以下、ＰＳＦと称す）と、
前記ＰＳＦを懸架する懸垂線状の吊りロープと、
前記吊りロープに鉛直に吊られ、前記ＰＳＦをほぼ水平に張るための長さが異なる複数の吊り具と、
を備えたことを特徴とする空間線量検出器。
【請求項２】
請求項１に記載の空間線量検出器において、
前記吊り具は、異なる測定スパンの間で、前記吊りロープに等しいピッチで吊られている
ことを特徴とする空間線量検出器。
【請求項３】
請求項１に記載の空間線量検出器において、
空間線量の測定スパンに対応して、前記吊りロープと前記ＰＳＦが固定される２つの支柱と、
前記測定スパンに応じて前記吊り具の本数を変えて、前記ＰＳＦを懸架する
ことを特徴とする空間線量検出器。
【請求項４】
請求項１に記載の空間線量検出器において、
懸垂線形状の前記吊りロープは、前記吊り具のピッチが一定となるように前記吊り具を吊り下げる位置を示す複数の吊り具マークをもつ
ことを特徴とする空間線量検出器。
【請求項５】
請求項１に記載の空間線量検出器において、
空間線量の測定スパンに対応して、前記吊りロープと前記ＰＳＦとを固定する２つの支柱と、
前記測定スパンに対応して前記ＰＳＦの長さ方向の固定位置が調整できるとともに、前記ＰＳＦを前記支柱に所定の高さで固定するＰＳＦ取り付け具と、
前記測定スパンに対応して前記吊りロープの長さ方向の固定位置が調整できるとともに、前記吊りロープを前記支柱に所定の高さで固定する吊りロープ取り付け具と、
をさらに備えたことを特徴とする請求項１に記載の空間線量検出器。
【請求項６】
請求項５に記載の空間線量検出器において、
前記支柱には、
空間線量の検出高さに対応し、前記吊りロープ取り付け具の固定位置を示すひとつの第１の位置マークが設けられるとともに、
空間線量の検出高さに対応し、前記ＰＳＦ取り付け具の固定位置を示す第２の位置マークが設けられ、
前記ＰＳＦ取り付け具は、前記第２の位置マークに揃えて固定され、
前記吊りロープ取り付け具は、前記第１の位置マークに揃えて固定される
ことを特徴とする空間線量検出器。
【請求項７】
請求項６記載の空間線量検出器において、
異なる測定スパンで空間線量を検出する場合に、同じ取り付け位置の吊り具が異なる長さをもつ
ことを特徴とする空間線量検出器。
【請求項８】
請求項５記載の空間線量検出器において、
前記支柱には、
空間線量の検出高さに対応し、前記吊りロープ取り付け具の固定位置を示すひとつの第１の位置マークが設けられるとともに、
空間線量の検出高さに対応し、複数の前記ＰＳＦ取り付け具の固定位置を示す第２の位置マークが設けられ、
前記ＰＳＦ取り付け具は、前記第２の位置マークに揃えて固定され、
前記吊りロープ取り付け具は、測定スパンに対応していずれかひとつの前記第１の位置マークに揃えて固定される
ことを特徴とする空間線量検出器。
【請求項９】
請求項８記載の空間線量検出器において、
異なる測定スパンで空間線量を検出する場合に、同じ取り付け位置の吊り具が同じ長さをもち、異なる測定スパンで吊り具を兼用可能である
ことを特徴とする空間線量検出器。
【請求項１０】
放射線を検出して光信号を出力する所定長のプラスチック・シンチレーション・ファイバ（以下、ＰＳＦと称す）と、
前記ＰＳＦを懸架する懸垂線状の吊りロープと、
測定スパンに応じて設けられ、前記吊りロープを吊架する２つの支柱と、
前記吊りロープに鉛直に吊られ、前記ＰＳＦを所定の高さにほぼ水平に張るためにその長さが異なる複数の吊り具と、
前記ＰＳＦから出力された光信号に基づき、放射線の照射位置と放射線量強度を算出する信号計測部と、
前記信号計測部で算出した空間線量分布を表示する表示部と、
を備えたことを特徴とする空間線量測定装置。
【請求項１１】
請求項１０に記載の空間線量測定装置において、
前記信号計測部は、
前記ＰＳＦから出力された光信号のうち、測定スパンに対応する範囲の光信号に基づき、放射線の照射位置と放射線量強度を算出する
ことを特徴とする空間線量測定装置。
【請求項１２】
請求項１１に記載の空間線量測定装置において、
前記信号計測部は、前記２つの支柱に吊架されたＰＳＦが平行移動するたびに、前記ＰＳＦから出力された光信号のうち、測定スパンに対応する範囲の光信号に基づき、放射線の照射位置と放射線量強度を算出し、
前記表示部は、平面の空間線量率分布を表示する
ことを特徴とする空間線量測定装置。
【請求項１３】
プラスチック・シンチレーション・ファイバ（以下、ＰＳＦと称す）による空間線量の平面分布の測定方法であって、
前記ＰＳＦを懸架する吊りロープを、放射線量を検出する高さと測定スパンに基づく２つの支柱の所定位置に吊架し、
放射線量を検出する高さと測定スパンに基づいて決まる複数の吊り具により、前記ＰＳＦを前記吊りロープに懸架し、
前記ＰＳＦを、放射線量を検出する高さに応じて、前記２つの支柱の所定位置に固定し、
前記ＰＳＦを、前記吊りロープと前記複数の吊り具と前記支柱とともに平行移動しながら、前記ＰＳＦの移動のたびに前記ＰＳＦから出力された光信号に基づいて放射線の照射位置と放射線量強度を算出して空間線量の平面分布を算出する
ことを特徴とする空間線量測定方法。
【発明の詳細な説明】
【技術分野】
【０００１】
本発明は、シンチレーション・ファイバを使用してガンマ線等の放射線の空間線量を測定する計測装置に関する。
【背景技術】
【０００２】
ガンマ線等の放射線量の検出には、サーベイメータによる点的な測定方法と、シンチレーション・ファイバ等による面的な測定方法がある。原子力発電所や放射能管理施設の汚染管理では、プラスチック・シンチレーション・ファイバ（Plastic Scintillation Fiber, 以下ＰＳＦという）が利用されることがある。特許文献１には、線量検出器を構成するシンチレーション・ファイバの本数を可変にして、被測定対象物の高レベルから低レベルの放射線レベルに対応可能な放射線測定装置が開示されている。
【０００３】
そして、近年、低レベル放射能廃棄物の地中処理や、原子力発電所の事故に伴う放射性物質の拡散により、環境中の放射線量の人体への悪影響を防ぐために、放射線量を効率的に監視することに対しニーズが増している。
【先行技術文献】
【特許文献】
【０００４】
【特許文献１】特開２０１３−１９５３２０号公報
【発明の概要】
【発明が解決しようとする課題】
【０００５】
ところで、サーベイメータやＰＳＦを用いた従来の線量測定は、予め評価すべき領域を定めておき、その領域内に設定される基準点や基準範囲において実施されるものであった。したがって、事前に、ある程度の線量が測定される見込みが立つ場所において実際の線量値を求める上では有効であったが、反対に、事前検討段階では、線量が測定される可能性が低いような場所について線量測定を実施しようとすると、測定装置の取り回し等が課題になると考えられる。
【０００６】
なぜなら、事前検討段階において線量が測定される可能性が低いと判断されるような場所において、高線量地点（ホットスポット）を検出するためには、その場所全面を測定することが必要となる。しかし、この測定対象となる場所は、例えば、ＰＳＦを用いた従来の測定を実施するには狭すぎる場合や、あるいは障害物等があって計測する高さを変更させる必要がある場合などが想定され、この様な場所で用いる測定装置は環境へ柔軟に対応できることが求められる。
【０００７】
そこで本発明の目的は、ＰＳＦを用いて放射線量を測定する装置であって、測定環境に柔軟に対応可能な空間線量検出器、空間線量測定装置および空間線量測定方法を提供することにある。
【課題を解決するための手段】
【０００８】
前記課題を解決するため、本願発明の空間線量検出器は、放射線量を検出するＰＳＦと、前記ＰＳＦを懸架する懸垂線状の吊りロープと、前記吊りロープに鉛直に吊られ、前記ＰＳＦをほぼ水平に張るための長さが異なる複数の吊り具と、を備えるようにした。
【０００９】
また、本発明の空間線量測定装置は、放射線を検出して光信号を出力する所定長のＰＳＦと、前記ＰＳＦを懸架する懸垂線状の吊りロープと、測定スパンに応じて設けられ、前記吊りロープを吊架する２つの支柱と、前記吊りロープに鉛直に吊られ、前記ＰＳＦを所定の高さにほぼ水平に張るためにその長さが異なる複数の吊り具と、前記ＰＳＦから出力された光信号に基づき、放射線の照射位置と放射線量強度を算出する信号計測部と、前記信号計測部で算出した空間線量分布を表示する表示部と、を備えるようにした。
【００１０】
さらに、本発明のＰＳＦによる空間線量の平面分布の空間線量測定方法は、前記ＰＳＦを懸架する吊りロープを、放射線量を検出する高さと測定スパンに基づく２つの支柱の所定位置に吊架し、放射線量を検出する高さと測定スパンに基づいて決まる複数の吊り具により、前記ＰＳＦを前記吊りロープに懸架し、前記ＰＳＦを、放射線量を検出する高さに応じて、前記２つの支柱の所定位置に固定し、前記ＰＳＦを、前記吊りロープと前記複数の吊り具と前記支柱とともに平行移動しながら、前記ＰＳＦの移動のたびに前記ＰＳＦから出力された光信号に基づいて放射線の照射位置と放射線量強度を算出して空間線量の平面分布を算出するようにした。
【発明の効果】
【００１１】
本発明によれば、ＰＳＦを用いて放射線量の測定する装置であって、測定環境に柔軟に対応可能な空間線量検出器、空間線量測定装置および空間線量測定方法を提供することができる。
【図面の簡単な説明】
【００１２】
【図１】実施形態に係る空間線量検出器の構成を示す図である。
【図２】測定原理を説明する図である。
【図３】測定装置の全体構成を示す図である。
【図４】測定結果の一例を示す図である。
【図５】測定結果のマッピング表示を示す図である。
【図６ａ】２０ｍ幅で測定する場合の吊り構造を示す図である。
【図６ｂ】１０ｍ幅で測定する場合の吊り構造を示す図である。
【図６ｃ】５ｍ幅で測定する場合の吊り構造を示す図である。
【図６ｄ】１０ｍ幅で測定する場合の他の吊り構造を示す図である。
【図６ｅ】５ｍ幅で測定する場合の他の吊り構造を示す図である。
【図７】吊り具の構成の一例を示す図である。
【図８】吊り具の取り付け位置と長さの一例を示す表である。
【図９】吊り具の取り付け位置と長さの他の例を示す表である。
【図１０】吊りロープの取り付け具の構成の一例を示す図である。
【図１１】ＰＳＦ取り付け具の構成の一例を示す図である。
【図１２】吊りロープとＰＳＦの取り付け位置を示す図である。
【図１３】測定手順を表わすフローチャートである。
【発明を実施するための形態】
【００１３】
以下に、本発明を実施するための形態について図面を参照して説明する。
図１は、実施形態に係る空間線量検出器1の全体構成を示す図である。
【００１４】
ＰＳＦ２は、ガンマ線が照射されると照射部分が発光するプラスチック製のシンチレーション・ファイバを、複数本束ねてポリ塩化ビニルで被覆したケーブルである。詳細は後述するが、実施例の空間線量検出器１は最大２０ｍの測定スパンの空間線量を測定するために、ＰＳＦ２は２０ｍ長超のファイバケーブルとなっている。
【００１５】
このＰＳＦ２は、ＰＳＦ取り付け具６により、地面から所定の高さ（５０ｃｍまたは１００ｃｍ）になるように、支柱５に取り付けられている。なお、本実施例におけるＰＳＦ２の高さとは、地表を基準とした所定の高さであって、ＰＳＦ２を、ＰＳＦ取り付け具６を介して支柱５へ取り付ける際の位置や、後述する吊りロープ３および吊り具４を介したＰＳＦ２の吊り下げ方により決定する。空間線量の測定は、測定スパン分離れた２点に、支柱５を垂直に立てておこなう。このとき、ＰＳＦ２は、自身の重量のため懸垂線の形状となり、地面から一定の高さを確保できない。このため、所定の垂れ下がり量（例えば、１０ｃｍ）となるように、吊り具４により支柱５の間を適当な間隔でＰＳＦ２を吊りあげて、ＰＳＦ２をほぼ水平に張る。
【００１６】
吊り具４は、吊りロープ３に懸架されている。吊りロープ３も、自身の重量のために、懸垂線の形状となる。このため、吊り具４の吊り位置に応じて、吊り具４の長さを変えることで、ＰＳＦ２がほぼ水平に張られる。詳細には、ＰＳＦ２は、吊り具４の間隔により懸垂線の形状が決まるので、所定の垂れ下がり量を満たすように、吊り具４の間隔を調整する。
【００１７】
吊りロープ３には、φ１４ｍｍで、16本のストランドで撚ったものを内芯とし、さらに同質の16本のストランドで丸編みしたもので被覆したロープを使用する。このようなロープは、ヨットロープと称されている。
【００１８】
支柱５は、地面に垂直に立てる必要がある。測定にあたっては、支柱５の間にＰＳＦ２と吊りロープ３が張られているため、一方の支柱５を作業者が保持した状態で、他方の支柱５を別の作業者が引っ張り調整すれば、ほぼ垂直にたてることができる。
放射線量の面測定をおこなうには、一回の線状の放射線量測定の後に支柱５を移動してつぎの線状の放射線量測定をおこなう動作を、繰り返しておこなえばよい。このため、特に、ＰＳＦ２の移動機構がなくても、面測定が可能となる。
【００１９】
また、実施例の空間線量検出器1は、吊りロープ３と複数の吊り具４によりＰＳＦ２を所定の高さにほぼ水平に懸架している。これにより、ＰＳＦ２に過大な曲げ力や張力が生じないので、ＰＳＦ２の破断を防ぐことができる。
【００２０】
図２は、空間線量検出器１の測定原理を説明する図である。
空間線量検出器１は、放射線が照射されると照射部分が発光するプラスチック・シンチレーション・ファイバ（ＰＳＦ２）を含んで構成されている。ガンマ線により発した光は、ファイバの内部を導光して、ファイバの両端に設けられた光電子増倍管に入射して電気信号に変換される。ファイバ両端の光電子増倍管の電気信号の時間差（Ｔ２−Ｔ１）から、ファイバ上の放射線が照射された位置を算出する。また、電気信号から放射線の強さを検出する。
【００２１】
実施例の空間線量検出器１では、ＰＳＦ２の全長の範囲で、放射線の照射位置と強さを検出できる。ここで、本実施例においてはＰＳＦ２の全長の範囲でもある支柱５の間隔を測定範囲（測定スパン）とする。
測定スパンにおいて検出した線量の値を、ＰＳＦ２の全長における位置の値と関連づけて演算処理することで、当該測定スパンにおける線量値の分布を得ることができる。なお、実施例の空間線量検出器１は、例えば、ＰＳＦ２の全長に関して、線量値の記録や表示する範囲を選択することもできるため、測定スパンの変更に応じて別個にＰＳＦ２を用意する必要はなく、最大長の測定範囲の検出するＰＳＦ２によって、狭い測定範囲の測定にも対応することができる。
【００２２】
図３は、空間線量検出器１を用いた空間線量測定装置の構成を示す図である。
本実施例の空間線量測定装置は、放射線を検出し光信号に変換するシンチレーション・ファイバーを束ねてポリ塩化ビニル（ＰＶＣ）で被覆されたＰＳＦ２と、ＰＳＦ２で発生した光信号を電気信号に変換・増幅する光電子増倍管（以下、ＰＭＴ：Photomultiplier Tubeという）と、信号処理装置への入力前に電気信号を増幅するプリアンプと、時間分解能向上のための信号波形前処理装置（以下、ＣＦＤ:Constant Fraction Discriminationという）と、スタート信号とストップ信号の時間間隔調整用のディレイ装置と、時間間隔を出力の大小に変換する時間波高変換機（以下、ＴＡＣ:Time-to-Amplitude Converterという）と、出力信号を信号の強度に応じて分別する多重波高分析器（以下、ＭＣＡ:Multi-channel analyzerという）と、出力信号を可視化するＰＣ等から概略構成されている。
【００２３】
そして、本実施例の空間線量測定装置は、従来の装置より省電力化が図られ、ＰＣのＵＳＢラインから供給される電力で駆動されている。このため、可搬性の優れた空間線量測定装置となっている。
【００２４】
図４は、支柱５の間隔を２０ｍとしたときの空間線量測定装置の測定結果の一例を示す図である。
空間線量測定装置は、およそ10秒ごとに、10cm程度の分解能で、一回の線量測定をおこなうことができる。ＰＳＦ２を平行移動しながら、連続測定することで、平面状の線量率測定ができる。これにより、局所的に生じるホットスポットも、容易に確認することができる。
【００２５】
図５は、測定結果のマッピング表示を示す図である
空間線量検出器１の支柱５の設置位置を、所定量ずつ平行移動しながら連続測定をおこない、平面の空間線量率の検出をおこなう。この測定結果を基に、検出した空間線量を２次元にマッピングして表示することで、空間線量率分布の可視化ができる。例えば、線量の測定結果を丸印で示し、線量値に応じて色相や濃淡を変えて表示する。検出した線量値が許容値を超える点を、赤色で表示する等すれば、結果を判定しやすくなる。
また、図５に示すように、住宅地図や地形図や航空写真等に測定した空間線量率分布を重ねて表示することで、ホットスポットの位置が明確になり、汚染土壌の除去作業の効率が向上する。
【００２６】
図６ａ、図６ｂ、図６ｃ、図６ｄ、図６ｅは、空間線量測定の測定スパンが、２０ｍ、１０ｍ、５ｍのときの、それぞれの空間線量検出器１の概要を示す図である。実施例の空間線量検出器１は、ＰＳＦ２の中央を基準に、２．５ｍ間隔で吊り具４によりＰＳＦ２を懸架する構造となっている。
【００２７】
ここで、詳細は後述するが、空間線量検出器１には、吊りロープの吊り方のより２つの構成がある。ひとつは、図６ｂ、図６ｃに示すように、測定スパンに応じて吊りロープ３を支柱５に固定する高さを変える、すなわちＰＳＦ２の長さを基準とする吊り方である。もうひとつは、図６ｄ、図６ｅに示すように、吊りロープ３の支柱５に対する固定位置は一定として、ＰＳＦ２の地表からの高さが所定の高さになるように、測定スパンに応じて長さが異なる吊り具４を使う、すなわち吊りロープ３の長さを基準とする吊り方である。
以下、ＰＳＦ基準の吊り方と吊りロープ基準の吊り方に分けて説明する。
【００２８】
図６ａは、２．５ｍの測定間隔ごとに７つの吊り具４によりＰＳＦ２を懸架して、２０ｍスパンの空間線量を検出する場合の構成を示している。
吊り具４は、ＰＳＦ２を水平に張るために、測定スパンの中央を原点とした際の、吊り具４を吊りロープ３に取りつける位置（吊り位置）ごとに異なる長さをもつ。ただし、ＰＳＦ２は左右対称となるため、吊り具４の長さは、測定スパンの中央から等距離にある位置では左右で同じ長さとなる。詳細は、図９により説明する。
【００２９】
ＰＳＦ２と吊りロープ３は、それぞれ、懸垂線の形状となるため、水平方向の距離（測定スパン）より、実際のＰＳＦ２と吊りロープ３の長さは長くなる。吊り具４の間隔が２．５ｍとなるように、ＰＳＦ２と吊りロープ３には、それぞれ、吊り具４を取り付ける位置を示す吊り位置マークが設けられている（図７を参照）。詳細は、図８に示す。
【００３０】
図６ｂは、２．５ｍの測定間隔ごとに３つの吊り具４によりＰＳＦ２を懸架して、１０ｍスパンの空間線量を検出する場合の構成を示している。さらに、図６ｃは、２．５ｍの測定間隔に１つの吊り具４によりＰＳＦ２を懸架して、５ｍスパンの空間線量を検出する場合の構成を示している。
【００３１】
図６ａ、図６ｂ、図６ｃに示すＰＳＦ基準による吊り方は、ＰＳＦ２の中央を基準に、測定スパンに関して一定間隔を置いて吊り具４を設けるようにしている。このため、吊り具４の長さは、水平方向における取りつけ位置によって決まる。別の言い方をすれば、水平方向中央を基準としたときの取り付け位置が同じであれば、水平方向中心を挟んだ左右において吊り具４の長さも等しくなる。したがって、図６ａ、図６ｂ、図６ｃに示す例では、中央に取りつけるための最も短い吊り具４が１本と、その左右に取りつけるための吊り具４のペアが、それぞれの取り付け位置用に３セット（６本）あれば、５ｍ、１０ｍ、２０ｍの測定スパンの空間線量の検出が可能となる。
【００３２】
なお、図からも判るように、ＰＳＦ基準の吊り方を採用する場合、ＰＳＦ２の支柱５への取り付け位置は、吊りロープ３の垂れ量が測定スパンに応じて変化するため異なるものとなる。このため、吊りロープ取り付け具７は、吊りロープの長さ調整機構と支柱５の取り付け高さの調整機構が必要となる。この吊りロープ取り付け具７の詳細は、図１０により説明する。
【００３３】
上述の空間線量測定の測定スパンに応じて吊りロープ３の支柱５への固定位置を変える方法（ＰＳＦ基準の吊り方法）とは別に、吊りロープ３の支柱５への固定位置は固定して、吊り具４の長さを変える方法（吊りロープ基準の吊り方法）もある。この場合には、異なる測定スパンの間では、吊り具４の兼用はできないため、測定スパンに応じて異なる吊り長さの吊り具４を用意する必要がある。
図６ｄ、図６ｅが、上述の吊りロープ基準の吊り方法よる構成を示す図である。支柱５の吊りロープ３とＰＳＦ２の固定位置は、異なる測定スパンの間で同じになっている。測定スパンが小さくなると吊りロープ３の垂れ量が少なくなる。このため、同じ測定スパンに応じて吊り具４の長さを変える必要がある（例えば、中央部の吊り具４の長さを参照）。吊りロープ基準の吊り方法では、ＰＳＦ基準の吊り方法の場合と異なり、吊り具の位置が同じでも、測定スパンに応じて異なる長さの吊り具４が必要となる。
【００３４】
ここで、例えば、吊り具４が図７に示すようにチェーン２０を利用するものであれば、スナップ２１をＳ字フック等に置き換えることで、チェーン２０の任意の位置を吊り長さとして設定することができる。この様な機構を採用することで、吊り長さを簡単かつ自由に設定することができ、測定スパンをより自由に設定可能な利便性のよい空間線量測定装置を提供することができる。
【００３５】
また、上述の２つの吊り方のいずれであっても、測定スパンを容易に変更できるため、例えば、測定が求められる領域において部分的に狭い場所等があったとしても、その場所を計測するのに適した測定スパンを有する空間線量検出器１を構成することができ、測定に用いる機器の取り回しも向上する。
【００３６】
さらに、上述の２つの吊り方のいずれであっても、本実施例の空間線量検出器１は、ＰＳＦ２をロープ３から吊る方式としているため、地表面に障害物があったとしても、これを回避することが容易にでき、取り回しの良さが向上する。加えて、地表面の障害物を回避するために計測する高さを変更するようなことも少なくなり、計測高さを変更することによる線量測定結果の変動も抑制することができる。
【００３７】
空間線量検出器１の吊り具の個数や吊り位置は、図６ａ、図６ｂ、図６ｃに示す構成に限定されない。吊り具の個数や吊り位置によりＰＳＦ２の検出高さが変わるので、許容される検出高さ誤差の範囲で、適宜選択することができる。
【００３８】
例えば、図６ａ、図６ｂ、図６ｃ、図６ｄ、図６ｅに示す構成では、ＰＳＦ２の中央を基準に、測定スパンごとに吊り具４の吊り位置を決めているが、ＰＳＦ２の一方の端部を基準に、測定スパンごとに吊り具４の吊り位置を決めてもよい。この場合には、ＰＳＦ２と吊りロープ３の一方の端部は、支柱５に固定できるので、測定スパンの変更作業を容易におこなうことができる。
【００３９】
図７は、吊り具４の構成の一例を示す図である。
吊り具４は、ＰＳＦ２の吊り長さに対応する長さのチェーン２０をもち、チェーン２０の両端には、ＰＳＦ２と吊りロープ３の吊り位置に設けられたシャックル２２に、チェーンを引っ掛けるスナップ２１が設けられて構成される。
【００４０】
チェーン２０は、吊り位置に対応した長さをもち、ＰＳＦ２の中央部を吊る吊り具４のチェーン長が最も短い。図８と図９に、吊り位置とチェーン２０の長さの関係の一例を示す。
シャックル２２は、それぞれ、ＰＳＦ２と吊りロープ３が挿通され、ＰＳＦ２と吊りロープ３の所定のマーク位置に設定される。
【００４１】
図８は、図６ａ、図６ｂ、図６ｃのＰＳＦ基準の吊り方法による場合の、吊りロープの吊り具の取り付け位置と、吊り具４の長さの具体的な値を示す表である。
図６ａ、図６ｂ、図６ｃに示したとおり、吊りロープ３は懸垂線の形状となるため、吊り具４の取り付けピッチが一定であっても、吊りロープ３上の取り付け位置のピッチは、取り付け位置に応じて異なる。このため、吊りロープ３には、吊り具４の取り付け位置を示す吊り具マークが設けられている。
【００４２】
図８の(a)表は、ＰＳＦ２の中央部を基準に、吊り具４を設置する場合の、吊り具４の吊りロープ３上の設置位置の一例を示す表である。吊り具４のピッチは２．５ｍで一定であるが、吊りロープ３が懸垂線の形状となるため、必要なロープ長は長くなり、吊り具４の取り付け位置が吊り具４の位置からずれる。
ＰＳＦ基準の吊り方法では、吊り位置より吊り具４が共通のため、吊り位置に対して、吊りロープの吊り具取り付け位置が一意に決まる。
【００４３】
吊りロープ３の支柱５への長さ方向の固定位置も、懸垂線の形状を考慮して決める。具体的には、測定スパンが５ｍの場合（図６Cの場合）には、上表の吊りロープ３のｃ点とe点で支柱５に固定する。また、測定スパンが２０ｍの場合には、全長欄を満たす位置で固定する。
【００４４】
図８の(b)表は、吊り具の長さの一例を示す表である。(a)表と、同様に、吊りロープ３の吊り具４の取り付け位置をＰＳＦ２の中央基準で決める方法における、吊り具４の長さの値を示している。吊り具４の吊り位置に応じて、吊り具４の長さは一意に決まる。
【００４５】
ＰＳＦ２も同様に懸垂線の形状となるが、空間線量検出器１のＰＳＦ２の設置高さの偏差を許容値（例えば±５ｃｍ）内とするために、ＰＳＦ２の垂れ量が所定値以下になるように、吊り具４でＰＳＦ２の途中を吊るようにしている。このため、ＰＳＦ２の垂れ量は小さく、ＰＳＦ２の吊り具４の取り付け位置と、取り付けピッチのずれは小さい。
【００４６】
図９は、図６ａ、図６ｄ、図６ｅの吊りロープ基準の吊り方法による場合の、吊りロープの吊り具の取り付け位置と、吊り具４の長さの具体的な値を示す表である。
さらに、ＰＳＦ２の一方の端部を基準に、測定スパンごとに吊り具４の吊り位置を決める場合の具体的な値を示している。
【００４７】
図９の(a)表は、ＰＳＦ２の端部基準で、吊り具４を取り付けたときの、吊り具４の吊りロープ３上の設置位置を表わす表である。(a)表の（）内の数値は、吊り具４の水平方向のピッチ位置を示している。例えば、測定スパンが５ｍのときは、測定スパンの中央の１点でＰＳＦ２を吊る構成としている。このとき、吊りロープ３は、６ｍ長の懸垂線の形状となるため、端部から３ｍの位置で吊り具４を設置する（表の吊り点数が1の場合）。
【００４８】
測定スパンが１０ｍのときには、吊り具４を端部から水平方向に１ｍ、３ｍ、５ｍ、７ｍ、９ｍの５点の位置ので吊る構成としている（表の吊り点数が5の場合）。測定スパンが２０ｍのときには、吊り具４を端部から水平方向の２ｍ、５ｍ、８ｍ、１０ｍ、１２ｍ、１５ｍ、１８ｍの位置の５点で吊る構成としている（表の吊り点数が7の場合）。
このように、ＰＳＦ２の垂れ量が許容範囲であれば、吊り具４のピッチを不均一に懸架するようにしてもよい。
【００４９】
図９の(b)表は、吊り具の長さの一例を示す表である。(a)表と、同様に、ＰＳＦ２の端部基準で決める方法における吊り具４の長さの値を示している。具体的には、ＰＳＦ２の固定位置から上方向６５０ｍｍの位置に吊りロープ３を固定している。
また、吊りロープ基準の吊り方を採用する場合も、いくつかの代表的な測定スパンについて、予め、吊りロープ４やＰＳＦ２に吊り具４の取り付け位置をマークしてもよい。この際、測定スパンごとに異なる色でマークするなど、容易に測定スパンと取りつけ位置の対応関係を認識できるようなマークをすることで、利便性の高い空間線量測定装置を提供することができる。
また、先に述べた任意の吊り長さを設定可能な吊り具４の場合、いくつかの代表的な測定スパンに関して、チェーン２０の所定の位置、例えば図９に示される吊り長さに対応する位置を彩色しておくことで、吊り長さの設定も容易にでき利便性が向上する。
【００５０】
本実施例の空間線量検出器１は、５０ｃｍと１００ｃｍの２種類の空間線量の検出高さで検出するようにしている。このため、吊りロープ３を一定の高さで固定する方法においては、１００ｃｍ高さの検出をおこなう場合を基準にし、５０ｃｍ高さの検出をおこなう場合には、５０ｃｍ分の高さの差を吊り具４の長さにより調整する。したがって、図９の(b)表で示される吊り具４の長さに５０ｃｍ分追加した吊り具４を別に用意する。
これに対して、吊りロープ３の固定位置を測定スパンに応じて変える方法では、空間線量の検出高さによって、ＰＳＦ２の固定位置をさらに増やせばよく、吊り具４を兼用できる。
【００５１】
図１０は、吊りロープ３を支柱５の所定の高さに固定する吊りロープ取り付け具７の構成の一例を示す図である。
吊りロープ取り付け具７は、支柱５に固定する支柱固定部１０と、吊りロープ３を固定する吊りロープ固定部１１をもち、支柱固定部１０の勘合部で支柱５を挟持して支柱５に固定し、吊りロープ固定部１１の勘合部で吊りロープ３を挟持して支柱５に固定される。勘合部では、チョウネジ１２の開閉により、吊りロープ３と支柱５との間の移動・固定がおこなわれる。
吊りロープ３の固定は、吊りロープ３の吊り具マーク（図示せず）に前記吊りロープ固定部１２を揃えることでおこなう。
【００５２】
支柱５には、吊りロープ取り付け具７の固定位置を指示する吊りロープマーク１３を付ける。この吊りロープマーク１３は、上記の吊りロープ３を一定の高さで固定する方法においては、ひとつの吊りロープマーク１３が支柱５に付けられている。検出高さ・測定スパンの測定条件に応じて、吊り具４を選択し、選択した吊り具４によりＰＳＦ２を懸架する。
上記の吊りロープ３を、測定ピッチに応じて支柱５に固定する高さを変える方法では、支柱５には、測定スパンに応じて複数の吊りロープマーク１３を付ける。詳細は、図１２により、説明する。
【００５３】
なお、吊りロープ３の固定は、図１０に示した機構に限らない。支柱５に吊りロープ３の挿通穴を設けて測定高さを固定し、吊りロープ３を結ぶことで測定スパンの調整をおこなってもよい。
【００５４】
図１１は、ＰＳＦ２を支柱５の所定の高さに固定するＰＳＦ取り付け具６の構成の一例を示す図である。
ＰＳＦ取り付け具６は、支柱５に固定する支柱固定部１４と、ＰＳＦ２を固定するＰＳＦ固定部１５をもち、支柱固定部１４の勘合部で支柱５を挟持して支柱５に固定し、ＰＳＦ固定部１５の勘合部でＰＳＦ２を挟持して支柱５に固定される。勘合部では、チョウネジ１６の開閉により、ＰＳＦ２と支柱５との間の移動・固定がおこなわれる。ＰＳＦ２には、補強カバー１７が巻かれており、曲げ応力による損傷を防止している。
【００５５】
支柱５には、ＰＳＦ取り付け具６の固定位置を指示するＰＳＦマーク１８を付ける。
このＰＳＦマーク１８は、上記の吊りロープ基準の吊り方法（吊りロープ３を一定の高さで固定する方法）と、上記のＰＳＦ基準の吊り方法（測定スパンに応じて吊りロープ３を支柱５に固定する高さを変える方法）に関係なく、空間線量の検出高さの設定数分だけ設けられている。
【００５６】
図１２は、上記のＰＳＦ基準の吊り方法における、支柱の吊りロープとＰＳＦ２の取り付け位置マークの一例を示す図である。
位置マーク１８は、５０cmと１００cmの空間線量の検出高さを設定するときの、ＰＳＦ２の取り付け位置を示す位置マークである。このマークに合わせて、ＰＳＦ取り付け具６の支柱固定部１４を調整し、所定の高さにＰＳＦ２を取り付ける。
【００５７】
位置マーク１３は、吊りロープ３の取り付け位置を示す位置マークである。支柱５の上方の３つの位置マーク１３は、空間線量の検出高さが１００cmのときの、吊りロープ３の取り付け位置を示す位置マークであり、支柱５の下方の３つの位置マーク１３は、空間線量の検出高さが50cmのときの、吊りロープ３の取り付け位置を示す位置マークである。
上方と下方のそれぞれの３つの位置マーク１３は、測定スパンに対応した吊りロープ３の取り付け位置を示し、上方から２０m・１０m・５mのそれぞれの測定スパンにおける吊りロープ３の取り付け位置を示している。より具体的には、ＰＳＦ２の取り付け位置を示す位置マーク１８の上方、４６０ｍｍ・２７０ｍｍ・８３ｍｍの位置に吊りロープ３の取り付け位置を示す３つの位置マーク１３が示されている。
【００５８】
上記のとおり、ＰＳＦ基準の吊り方法（測定ピッチに応じて吊りロープ３を支柱５に固定する高さを変える方法）では、支柱５に複数の位置マーク１３を設けて、吊りロープ３の固定をおこなう必要があるが、先にも述べたとおり、吊り具４の兼用が可能で、必要本数を少なくなる効果がある。
【００５９】
図１３により、実施例の空間線量検出器を用いた空間線量測定装置により、平面の空間線量の測定手順を説明する。
まず、空間線量を検出する高さと測定スパンから、ＰＳＦ２を懸架する吊りロープ３を支柱５に固定する位置を求め、吊りロープ取り付け具７を調整して、吊りロープ３を２つの支柱５に吊架する（Ｓ１０１）。同様に、空間線量を測定する高さと測定スパンから、ＰＳＦ２を吊りロープ３に吊り下げる複数の吊り具４を選択し、前記複数の吊り具４によりＰＳＦ２を吊りロープ３に懸架する（Ｓ１０２）。つぎに、空間線量を検出する高さにＰＳＦ取り付け具６を調整し、ＰＳＦ２を２つの支柱５に固定する（Ｓ１０３）。
【００６０】
以上により、空間線量検出器の設定が完了するので、ＰＳＦ２から出力された光信号に基づいて放射線の照射位置と放射線量強度を算出する（Ｓ１０４）。一回分の放射線量の検出が終了したら、前記ＰＳＦ２を、前記吊りロープ３と前記複数の吊り具４と前記支柱５とともに平行移動する（Ｓ１０５）。移動先が測定平面の範囲か否かを判定し（Ｓ１０６）、測定範囲外だったら測定を終了する。測定範囲内であれば、Ｓ１０４に戻り、放射線量の検出をおこなう。以上により、平面の空間線量の測定をおこなうことができる。
【００６１】
また、本発明は上記した実施例に限定されるものではなく、様々な変形例が含まれる。上記の実施例は本発明で分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【符号の説明】
【００６２】
１  空間線量検出器
２  ＰＳＦ
３  吊りロープ
４  吊り具
５  支柱
６  ＰＳＦ取り付け具
７  吊りロープ取り付け具
【要約】
【課題】ＰＳＦ（プラスチック・シンチレーション・ファイバ）を用いて放射線量の測定する装置であって、地面から所定量離れた位置の空間線量を測定するのに好適な、空間線量検出器を提供する
【解決手段】本願発明の空間線量検出器は、放射線量を検出するＰＳＦと、前記ＰＳＦを懸架する懸垂線状の吊りロープと、前記吊りロープに鉛直に吊られ、前記ＰＳＦをほぼ水平に吊り下げるための長さが異なる複数の吊り具と、を備えるようにした。
【選択図】  図１【図１】
0005597818.tif 000002
【図６ａ】
0005597818.tif 000003
【図６ｂ】
0005597818.tif 000004
【図６ｃ】
0005597818.tif 000005
【図６ｄ】
0005597818.tif 000006
【図６ｅ】
0005597818.tif 000007
【図７】
0005597818.tif 000008
【図８】
0005597818.tif 000009
【図９】
0005597818.tif 000010
【図１０】
0005597818.tif 000011
【図１１】
0005597818.tif 000012
【図１２】
0005597818.tif 000013
【図１３】
0005597818.tif 000014
【図２】
0005597818.tif 000015
【図３】
0005597818.tif 000016
【図４】
0005597818.tif 000017
【図５】
0005597818.tif 000018